(57)【要約】【課題】個別の金型の表裏反転と上下反転機能を付加することにより、金型格納装置のストッカに搭載すべき金型の個数を減少させ、ストッカの数の減少と金型格納装置の小型化を図る曲げ加工装置を提供する。【解決手段】製品情報に基づき、ワークの曲げ順、使用する金型及び金型レイアウトを決定する金型レイアウト決定部２０Ｄと、該金型レイアウト決定部２０Ｄにより決定された金型レイアウト情報及び上記ストッカｈ１（ｈ２、ｈ３、ｔ１）に搭載された各分割金型に関する金型搭載情報に基づき、所定の金型レイアウトを構成する分割金型を、ストッカｈ１（ｈ２、ｈ３、ｔ１）に搭載された分割金型の中から選択する金型選択部２０Ｅと、該選択された分割金型の表裏を反転する金型表裏反転装置８、９と、該選択された分割金型の上下を反転する金型上下反転装置１８を設けた。【選択図】図１
2008087018.tif 000002
【特許請求の範囲】
【請求項１】
パンチとダイから成る分割金型が搭載されたストッカを備えた金型格納装置を有し、ストッカに搭載された分割金型を上部・下部テーブル上の所定位置に位置決めする曲げ加工装置において、
製品情報に基づき、ワークの曲げ順、使用する金型及び金型レイアウトを決定する金型レイアウト決定部と、
該金型レイアウト決定部により決定された金型レイアウトに関する情報及び上記ストッカに搭載された各分割金型に関する金型搭載情報に基づき、所定の金型レイアウトを構成する分割金型を、ストッカに搭載された分割金型の中から選択する金型選択部２０Ｅと、
該選択された分割金型の表裏を反転する金型表裏反転装置と、
該選択された分割金型の上下を反転する金型上下反転装置を設けたことを特徴とする曲げ加工装置。
【請求項２】
上記ワークの曲げ順、使用する金型及び金型レイアウトは、作業者が入力部を介して手動で決定する請求項1記載の曲げ加工装置。
【請求項３】
上記金型搭載情報は、作業者が入力部を介して入力し、該金型搭載情報は記憶部にデータベースとして記憶される請求項１記載の曲げ加工装置。
【請求項４】
上記金型表裏反転装置と金型上下反転装置が、上部・下部テーブルに設けられ、金型表裏反転装置が、上部・下部テーブルの側方に設けた金型格納装置に近い側に、金型上下反転装置が、遠い側にそれぞれ設けられている請求項１記載の曲げ加工装置。
【請求項５】
上記金型表裏反転装置は、互いに対向するパンチ表裏反転装置とダイ表裏反転装置により構成され、各表裏反転装置は、旋回アクチュエータとその両側のシリンダの基端部を筐体に取り付け、旋回アクチュエータの先端部に旋回金型ホルダを、両シリンダの先端部に固定金型ホルダをそれぞれ取り付けた請求項１、又は４記載の曲げ加工装置。
【請求項６】
上記金型上下反転装置は、反転板の両端に金型ホルダを取り付け、反転板７３は、ラック・ピ二オン機構により反転自在である請求項1、又は４記載の曲げ加工装置。
【請求項７】
上記反転板の両端には、シリンダが取り付けられ、該シリンダのピストンロッドに金型ホルダが取り付けられている請求項６記載の曲げ加工装置。
【発明の詳細な説明】
【技術分野】
【０００１】
本発明は、金型表裏反転装置と金型上下反転装置を組み合わせた曲げ加工装置に関する。  
【背景技術】
【０００２】
従来より、例えばＷＯ００／４１８２４号公報に開示されているように、金型格納装置を備えた曲げ加工装置がある。
【０００３】
この種の曲げ加工装置においては、CＡＤ情報等を用いて、予めワークの曲げ順、その曲げ順ごとに使用される金型、及びその金型を上部テーブルと下部テーブルの各加工ステーションの何処に配置するかという金型レイアウトを決定しておき、予め決定した金型レイアウトを構成する金型を、前記金型格納装置に格納された複数の金型の中から取り出し、所定の加工ステーションの所定の位置に配置するようになっている。
【０００４】
ところが、金型レイアウトは、単にどのような断面形状、長さ（幅）の金型を加工ステーションの何処に配置するかといったことだけではなく、ワークと金型の干渉、ワークと上部テーブル・下部テーブルとの干渉をシミュレーションで予めチェックすることにより、決定される。
【０００５】
従って、加工ステーションによっては、本来表付けである筈のパンチが裏付けであったり、また、本来上部テーブルに装着されるパンチが下部テーブルに装着されたり、反対に、本来下部テーブルに装着されるダイが上部テーブルに装着されるといった金型レイアウトが必要となる。
【特許文献１】ＷＯ００／４１８２４号公報
【発明の開示】
【発明が解決しようとする課題】
【０００６】
前記従来の曲げ加工装置は、金型格納装置の中に、ストッカに搭載された金型群の表裏を、ストッカごと反転させる装置は有しているが、個別の金型の表裏を反転させたり、個別の金型の上下を反転させる装置は有していない。
【０００７】
このため、例えば図２４に示すように、金型格納装置のパンチ用ストッカ９０  にダイＤを搭載したり、ダイ用ストッカ９１にパンチＰを搭載しておかなければならない。
【０００８】
また、金型格納装置のストッカに、同じ断面形状、長さのパンチやダイを表裏別々に搭載しておかなければならない。
【０００９】
その結果、金型格納装置に予め準備する金型の個数が多くなり、それに伴ってストッカの数も増加し、その分金型格納装置が大型になる。
【００１０】
本発明の目的は、個別の金型の表裏反転と上下反転機能を付加することにより、金型格納装置のストッカに搭載すべき金型の個数を減少させ、ストッカの数の減少と金型格納装置の小型化を図る曲げ加工装置を提供する。
【課題を解決するための手段】
【００１１】
上記課題を解決するために、本発明は、請求項１に記載されているように、
パンチＰとダイＤから成る分割金型が搭載されたストッカｈ1（ｈ2、ｈ3、ｔ）を備えた金型格納装置２、３を有し、ストッカｈ1（ｈ2、ｈ3、ｔ）に搭載された分割金型を上部・下部テーブル１２、１３上の所定位置に位置決めする曲げ加工装置１において、
製品情報に基づき、ワークの曲げ順、使用する金型及び金型レイアウトを決定する金型レイアウト決定部２０Ｄと、
該金型レイアウト決定部２０Ｄにより決定された金型レイアウトに関する情報及び上記ストッカｈ１（ｈ２ｈ３、ｔ１）に搭載された各分割金型に関する金型搭載情報に基づき、所定の金型レイアウトを構成する分割金型を、ストッカｈ１（ｈ２ｈ３、ｔ１）に搭載された分割金型の中から選択する金型選択部２０Ｅと、
該選択された分割金型の表裏を反転する金型表裏反転装置８、９と、
該選択された分割金型の上下を反転する金型上下反転装置１８を設けたことを特徴とする曲げ加工装置１という技術的手段を講じている。
【００１２】
上記本発明の構成によれば、例えば上部・下部テーブル１２、１３（図1）であって金型格納装置２、３に近い側に、金型表裏反転装置８、９を、遠い側に、金型上下反転装置１８をそれぞれ設けたことにより、これらの装置を用いることにより、個別の金型の表裏を反転したり、上下を反転することができるようになったので、金型格納装置のパンチ用ストッカ９０（図23）にダイＤを搭載したり、ダイ用ストッカ９１にパンチＰを搭載しておく必要はなく、また、金型格納装置のストッカに、同じ断面形状、長さのパンチやダイを表裏別々に搭載しておく必要もなくなり、従って、金型格納装置２、３（図1）のストッカｈ１(ｈ２、ｈ３、ｔ)（例えば図2）に搭載すべき金型の個数を減少させることが可能となり、また、それに伴って、ストッカの数も減少させることが可能となり、これにより、金型格納装置２、３の小型化を図ることが可能となる。
【発明の効果】
【００１３】
上記のとおり、本発明によれば、個別の金型の表裏反転と上下反転機能を付加することにより、金型格納装置のストッカに搭載すべき金型の個数を減少させ、ストッカの数の減少と金型格納装置の小型化を図る曲げ加工装置を提供するという効果がある。
【００１４】
また、金型上下反転装置１８（図1、図13）を構成する反転板７３の両端に、シリンダ７２、７４を設け、該シリンダ７２、７４のピストンロッドに金型ホルダ７０、７５を設けたことにより、反転時には（図14（Ｃ））、シリンダ７２、７４を収縮させることにより、金型ホルダ７０に装着されたパンチP、金型ホルダ７５に装着されたダイDの上下が反転できるので、金型上下反転装置１８全体を、反転時にわざわざ上部・下部テーブル１２、１３から退避させることなく、それらテーブルとの干渉を回避できるので、退避機構が不要となって、構成がより簡単になり、また、余分なスペースも不要になるという効果もある。
【発明を実施するための最良の形態】
【００１５】
以下、本発明を、実施の形態により添付図面を参照して、説明する。
図１は本発明の全体図である。
【００１６】
図１に示す曲げ加工装置１は、例えばプレスブレーキであり、該プレスブレーキ１は、機械本体の両側に側板１６、１７を有し、該側板１６、１７の上部には、ラム駆動源である例えば油圧シリンダ１４、１５を介して上部テーブル１２が取り付けられ、該上部テーブル１２には、パンチホルダ３０を介して一方の分割金型であるパンチＰが装着されている。
【００１７】
また、側板１６、１７の下部には、下部テーブル１３が配置され、該下部テーブル１３には、ダイホルダ３１を介して他方の分割金型であるダイＤが装着されている。
【００１８】
この構成により、下部テーブル１３の後方に配置されたバックゲージの突当１０、１１にワークＷを突き当てて位置決めした後、作業者が例えばフットペダル７を踏み込むことにより、油圧シリンダ１４、１５を作動しラムである上部テーブル１２を下降させれば、前記一対の分割金型であるパンチＰとダイＤの協働により該ワークＷが曲げ加工される。
【００１９】
前記上部テーブル１２と下部テーブル１３の側方には、図１に示すように、金型格納装置２、３と、該金型格納装置２、３と上部・下部テーブル１２、１３との間で分割金型の交換を行う金型交換装置２Ａ、３Ａが（例えば、ＷＯ００／４１８２４号公報に開示）設置されている。
【００２０】
この場合、各金型格納装置２、３には、分割金型（以下、金型という）として、所定の断面形状、所定長さの長尺金型と短尺金型が、ストッカを介して、格納されている。
【００２１】
例えば、金型（パンチ）格納装置２は、図２に示すように、同じ断面形状（例えば直剣型やグーズネック型など）の金型ごとにＡからＤまでの４つの領域に区分され、各領域には、上部テーブル１２に（図１）近い方から、順次、長尺金型用ストッカと短尺金型用ストッカが配置されている。
【００２２】
即ち、Ａ領域には（図２）、３つの長尺金型用ストッカｈ１、ｈ２、ｈ３と１つの短尺金型用ストッカｔ、Ｂ領域には、３つの長尺金型用ストッカｈ１、ｈ２、ｈ３と１つの短尺金型用ストッカｔ、Ｃ領域には、２つの長尺金型用ストッカｈ１、ｈ２と１つの短尺金型用ストッカｔ、Ｄ領域には、２つの長尺金型用ストッカｈ１、ｈ２と１つの短尺金型用ストッカｔというように、合計１４個のストッカが配置されている。
【００２３】
このうちの長尺金型用ストッカｈ１（ｈ２、ｈ３）は、よく知られているように、上部テーブル１２側（図１）の金型（パンチ）ホルダ３０と同じ構造を有し、図10（A）に示すように、両端のブラケット２１、２２を介して、前記金型格納装置２を構成する移動フレーム３１側のピン３１A、３１Bに支持可能である。
【００２４】
そして、この長尺金型用ストッカｈ１（ｈ２、ｈ３）には、図４に示すように、例えば長さ（Ｘ軸方向）が１００ｍｍのＩＤ番号１〜７（ＩＤ番号８〜１４、ＩＤ番号１５〜２１）の７枚の長尺金型が搭載されている。
【００２５】
また、短尺金型用ストッカｔも、同様に、上部テーブル１２側（図１）の金型（パンチ）ホルダ３０と同じ構造を有し、同様に、図10（A）に示すように、両端のブラケット２１、２２を介して、前記金型格納装置２を構成する移動フレーム３１側のピン３１A、３１Bに支持可能である。
【００２６】
そして、この短尺金型用ストッカｔには、図５に示すように、例えば長さ（Ｘ軸方向）が１５ｍｍのＩＤ番号１〜４の短尺金型が４枚、２０ｍｍのＩＤ番号５〜８の短尺金型が４枚、２５ｍｍのＩＤ番号９〜１１の短尺金型が３枚、３０ｍｍのＩＤ番号１２の短尺金型が１枚、５０ｍｍのＩＤ番号１３の短尺金型が１枚、６０ｍｍのＩＤ番号１４の短尺金型が１枚、及び８０ｍｍのＩＤ番号１５の短尺金型が１枚それぞれ搭載されている。
【００２７】
上記したのは、パンチ側の金型格納装置２の構成と（図２）、パンチ側の長尺金型用ストッカｈ１、ｈ２、ｈ３（図４）及び短尺金型用ストッカｔ（図５）についてであるが、ダイ側の金型格納装置３（図３）についても、同様である。
【００２８】
また、以下の説明に際しては、説明の簡略化のため、金型格納装置２（図２）に格納されているパンチ側の金型（特にＡ領域のパンチ金型）について詳述するが、他のＢ〜Ｄ領域のパンチ金型、また金型格納装置３（図３）に格納されているダイ金型についても同様である。
【００２９】
この構成により、本発明によれば、後述するように、予め決定された所定の金型レイアウト（例えば図17（A））を構成する分割金型を、上記ストッカｈ1（ｈ2ｈ3、ｔ1）に搭載された分割金型の中から選択する（図19のステップ104）。
【００３０】
しかし、そのためには、前記金型レイアウトを構成する分割金型が、既述したどのストッカｈ1（ｈ2、ｈ3、ｔ1）のどの位置に格納されているかがわかる金型搭載情報が必要となり、金型搭載情報は、後述するように、作業者が入力部２０Ｂ（図1）を介して入力し、該入力した金型搭載情報は（図6）、記憶部２０Ｃ（図1）にデータベースとして記憶される。
【００３１】
この金型搭載情報の入力例は、図6に示すとおりである。
【００３２】
即ち、金型搭載情報としては、前記図2で説明したように、同じ断面形状の金型ごとに区分された領域Ａ〜Ｄ内の該当するストッカｈ1（ｈ2、ｈ3、ｔ）に格納された金型のＩＤ番号、長さ、位置（該当するストッカ内での座標）がある。
【００３３】
例えば領域Ａは、同じ断面形状である金型群が搭載されたストッカｈ1（ｈ2、ｈ3、ｔ）が配置されていることを示し（図6（A）と図6（B））、この領域Ａ内の長尺金型用ストッカｈ1には（図6（A）と図6（C））、ＩＤ番号１、２・・・の金型が、所定長さを有して、所定位置（座標）に格納されていることを示している。
【００３４】
また、同じ領域Ａであっても、短尺金型用ストッカｔには（図6（A）と図6（D））、ＩＤ番号１５、１４・・・の金型が、所定長さを有して、所定位置（座標）に格納されていることを示している。
【００３５】
図7は、上部・下部テーブル１２、１３（図1）の左側から見た金型（パンチ）格納装置２の側面図であり、該金型格納装置２は、図示するように、基台フレーム３５上で、前後方向（Ｙ軸方向）に移動自在な移動フレーム３４と、基台フレーム３５上であって前記移動フレーム３４の両側に設けられたストッカ着脱装置３２と、該ストッカ着脱装置３２の直下に設けられたストッカ上下動・反転装置４を有し、金型（ダイ）格納装置３（図1）も同様の構成を有する。
【００３６】
上記移動フレーム３４は、基台フレーム３５の取付部２３上のガイド２４に滑り結合していると共に、モータＭ１で回転駆動するボールねじ３３に螺合し、該移動フレーム３４の両側には、複数のピン３４A（図10（Ａ））、３４Bが長手方向（Ｙ軸方向）に設けられ、各ピン３４A、３４Bには、前記ストッカｈ1等がそのブラケット２１、２２を介して支持されている。
【００３７】
また、基台フレーム３５の前記取付部２３には、ストッカ着脱装置３２が設けられ、該ストッカ着脱装置３２は、図10（Ａ）に示すように、爪３２Ａ、３２Ｂを有している。
【００３８】
この構成により、モータＭ１を駆動し、移動フレーム３４を前後方向に移動させることにより、例えば取り出すべきストッカｈ１を（図10（Ａ））、ストッカ着脱装置３２の位置に位置決めすれば、該ストッカｈ1を支持している移動フレーム３４側のピン３４A、３４Bが、前記ストッカ着脱装置３２の爪３２Ａ、３２Ｂに挿入される。
【００３９】
この状態で、ストッカ着脱装置３２を作動させ、前記爪３２Ａ、３２Ｂを外側に引っ張れば、ピン３４A、３４Bがブラケット２１、２２から抜けるので、ストッカｈ1を移動フレーム３４から離脱させることができ、後述するように（図10（Ａ）〜図10（Ｃ））、その離脱させたストッカｈ1をストッカ上下動・反転装置４のリフタアーム３９で支持しそれを下降させることにより、該ストッカｈ1を上部テーブル１２の金型ホルダ３０と同じ高さ位置に位置決めして装着させることができる（図10（Ｃ））。
【００４０】
また、これとは反対に、ストッカｈ1を金型格納装置２に戻す場合には、移動フレーム３４を前後方向に移動させて該ストッカｈ1を支持すべきピン３４A、３４Bをストッカ着脱装置３２の爪３２Ａ、３２Ｂに挿入させてから外側に引っ張っておく。
【００４１】
この状態で、前記図10（Ａ）〜図10（Ｃ）とは逆の動作を行い、ストッカ上下動・反転装置４のリフタアーム３９で支持されたストッカｈ1を、前記ストッカ着脱装置３２の位置に位置決めし、爪３２Ａ、３２Ｂを突出させれば外側に引っ張られていたピン３４A、３４Bがブラケット２１、２２と嵌合するので、該ストッカｈ1を移動フレーム３４に装着することができる。
【００４２】
一方、ストッカ上下動・反転装置４は、既述したように、金型格納装置２から取り出すストッカｈ1を支持し、上下動自在であると共に、該ストッカｈ1に搭載されている金型群を、ストッカｈ1ごと表裏反転させる機能を有する。
【００４３】
ストッカ上下動・反転装置４は、図9に示すように、基台フレーム３５の両側（Ｘ軸方向）の支柱３５Ａに沿って上下動するスライダ３６を有し、両スライダ３６は、支柱３５Ａに敷設されたガイド３７に滑り結合していると共に、一方のスライダ３６は（図7）、モータM２で回転駆動するボールねじ３８に螺合している。
【００４４】
上記両スライダ３６は（図9）、連結部材４１により連結され、該連結部材４１には、後方（Ｙ軸方向）に突出したロータリアクチュエータ４０が設けられ、該ロータリアクチュエータ４０には、リフタアーム３９が反転自在に設けられている。
【００４５】
上記リフタアーム３９は、その両側に支柱３９Ａを有し、該支柱３９Ａには、支持部３９Bを介して例えばストッカｈ1のブラケット２１、２２が支持される（図10  （B））。
【００４６】
この構成により、前記例えばストッカｈ1をリフタアーム３９で支持した状態で、（図10（A））、前記モータM２（図7）を作動させれば、ストッカ上下動・反転装置４全体が下降し（図10（B））、その間必要であれば、ロータリアクチュエータ４０を作動させることにより、該ストッカｈ1に搭載されている金型群を、ストッカｈ1ごと表裏反転させることができる。この場合、上記ロータリアクチュエータ４０を用いることなく、エアシリンダのピストンロッドに設けたラックを移動させることにより、リフタアーム３９（図7）の回転軸に設けたピニオンを回転させるラック・ピニオン機構を用いることもできる。
【００４７】
そして、前記ストッカ上下動・反転装置４を更に下降させれば、既述したように、該ストッカｈ1を、上部テーブル１２の金型ホルダ３０と同じ高さ位置に位置決めして装着させることができる（図10（Ｃ））。
【００４８】
図11は、本発明を構成する金型（パンチ）表裏反転装置８の斜視図であり、該金型表裏反転装置８は、前記例えばストッカｈ1の金型群の中から選択された個別金型の表裏を反転する機能を有する。
【００４９】
上記金型表裏反転装置８は、固定板６７を介して上部テーブル１２の左端に固定され、該金型（パンチ）表裏反転装置８に対向して設けられた金型（ダイ）表裏反転装置９も（図1）同様の構成を有する。
【００５０】
金型表裏反転装置８は（図11）、いずれも上下方向（Z軸方向）に延びる旋回アクチュエータ６０及びその両側（Ｘ軸方向）のシリンダ６５、６６を有する。
【００５１】
そして、前記固定板６７の下面の両側（Ｘ軸方向）には、図示するように、金型ホルダ６３、６４が固定され、両固定金型ホルダ６３、６４の間には、旋回自在な金型ホルダ６２が配置され、図示する状態では、両固定金型ホルダ６３、６４と旋回金型ホルダ６２は、整列していて同じ高さ位置にある。
【００５２】
また、前記旋回アクチュエータ６０及びその両側のシリンダ６５、６６は、それぞれの上側の基端部を、シリンダ６５、６６のパイプなどが組み込まれた筐体６８に取り付け、下側の先端部を前記固定板６７に貫通させ、その内の旋回アクチュエータ６０の先端部６１は、旋回金型ホルダ６２に、シリンダ６５、６６の先端部は、両固定金型ホルダ６３、６４にそれぞれ取り付けられている。
【００５３】
この構成により、既述した金型交換装置２Ａ（図1）を用い、例えばストッカｈ1（図11）の金型群の中から、後述する金型選択部２０Ｅ（図1）により選択された個別の金型Pのみを旋回金型ホルダ６２に（図１２（Ａ））移動してそれに装着する。
【００５４】
この状態で、シリンダ６５、６６を（図12（Ｂ））作動させてそれらを収縮させれば、固定金型ホルダ６３、６４に対して、筐体６８など全体が個別のパンチPを伴って下降し、旋回金型ホルダ６２が固定金型ホルダ６３、６４の若干下方に位置したときにシリンダ６５、６６を停止させる。
【００５５】
そして、旋回アクチュエータ６０を作動させれば（図12（Ｃ））、その先端部６１が旋回することにより、旋回金型ホルダ６２は、固定金型ホルダ６３、６４と干渉することなく反転し個別の金型Pの表裏が反転するので、今度は、シリンダ６５、６６を延伸させれば（図12（Ｄ））、固定金型ホルダ６３、６４に対して、筐体６８など全体が個別のパンチPを伴って上昇し、旋回金型ホルダ６２が固定金型ホルダ６３、６４と整列したときにシリンダ６５、６６を停止させる。
【００５６】
従って、再度金型交換装置２Ａ（図1）を用いて、表裏反転した金型P（図12  （Ｄ））を、右側の固定金型ホルダ６４を経由して上部テーブル１２（図11）の金型ホルダ３０の所定位置に位置決めすることができる。
【００５７】
図13は、本発明を構成する金型上下反転装置１８の斜視図であり、該金型上下反転装置１８は、前記例えばストッカｈ1（図11）の金型群の中から選択された個別の金型の上下を反転する機能を有する。
【００５８】
上記金型上下反転装置１８は（図13）、固定部８１を介して下部テーブル１３の右端に固定され、両端に金型ホルダ７０（例えばパンチP側）、７５（例えばダイD側）が取り付けられた反転板７３を有している。
【００５９】
そして、上記反転板７３が図示するように垂直位置にあるときは、金型ホルダ７０、７５は、上部テーブル１２側の金型ホルダ３０、下部テーブル１３側の金型ホルダ３１と整列し同じ高さ位置にある。
【００６０】
上記反転板７３の表面（こちら側）には、両端にシリンダ７２、７４が取り付けられ、該シリンダ７２、７４のピストンロッドには、水平板７１、８４を介して、前記金型ホルダ７０、７５が互いに対向した状態で設けられている。
【００６１】
上記反転板７３の表面のほぼ中央部には、旋回軸７６が突出して取り付けられ、該旋回軸７６は、斜線を施した形状の取付支柱８０の上部に旋回自在に取り付けられ、該取付支柱８０は前記固定部８１に取り付けられている（図14（Ａ））。
【００６２】
上記旋回軸７６（図13）の先端部には、ピニオン７７が設けられ、該ピニオン７７には、ラック８３が噛み合っている。
【００６３】
上記ラック８３は、上下方向（Z軸方向）に延びるピストンロッド７８に設けられ、該ピストンロッド７８は、シリンダ７９を作動することにより上下動し、該シリンダ７９は、上記取付支柱８０の左側に取り付けられている。
【００６４】
更に、上記ピニオン７７、ラック８３など前記反転板７３の回転駆動機構全体は、一点鎖線で示す保護ケース８２に覆われ、塵埃などから保護されている。
【００６５】
この構成により、同様に、既述した金型交換装置２Ａ（図1）を用い、例えばストッカｈ1（図11）の金型群の中から、後述する金型選択部２０Ｅ（図1）により選択された個別の金型P、Dのみを上部・下部テーブル１２（図13）、１３の金型ホルダ３０、３１内を移動させ、前記反転板７３の両端に取り付けた金型ホルダ７０、７５に装着する（図14（A））。
【００６６】
この状態で、シリンダ７２、７４を（図14（Ｂ））作動させてそれらを収縮させれば、上部・下部テーブル１２、１３の金型ホルダ３０、３１に対して、反転板７３の両端の金型ホルダ７０、７５が内側に移動し互いに接近するので、各金型ホルダ７０、７５が、上部・下部テーブル１２、１３側の金型ホルダ３０、３１から若干離れた高さ位置に位置したときにシリンダ７２、７４を停止させる。
【００６７】
そして、取付支柱８０（図14（C））に取り付けられているシリンダ７９を作動させれば、そのピストンロッドに設けられているラック８３が例えば上昇し、それに噛み合っているピニオン７７が回転し、旋回軸７６を介して反転板７３が180°回転することにより、図示するように、ダイDが上方に、パンチPが下方に位置し、上下が反転するので、その時点でシリンダ７９を停止させる。
【００６８】
その後、今度は、シリンダ７２、７４を延伸させれば（図14（Ｄ））、ダイDを装着した金型ホルダ７０とパンチPを装着した金型ホルダ７５とが互いに離反し、該金型ホルダ７０、７５が、上部・下部テーブル１２、１３側の金型ホルダ３０、３１と整列したときにシリンダ７２、７４を停止させる。
【００６９】
従って、再度金型交換装置２Ａ（図1）を用いて、上下反転した金型D、P（図1４  （Ｄ））を、上部・下部テーブル１２、１３側の金型ホルダ３０、３１に移動して所定位置に位置決めすることができる。
【００７０】
上記のとおり、本発明によれば、既述したように、金型表裏反転装置８、９と（図1、図11〜図12）、金型上下反転装置１８（図1、図13〜図14）をそれぞれ設けたことにより、これらの装置を用いることにより、個別の金型の表裏を反転したり、上下を反転することができるようになったので、従来のように、金型格納装置のパンチ用ストッカ９０（図23）にダイＤを搭載したり、ダイ用ストッカ９１にパンチＰを搭載しておく必要はなく、また、金型格納装置のストッカに、同じ断面形状、長さのパンチやダイを表裏別々に搭載しておく必要もなくなり、従って、金型格納装置２、３（図1）のストッカｈ１(ｈ２、ｈ３、ｔ)（例えば図2）に搭載すべき金型の個数を減少させることが可能となり、また、それに伴って、ストッカの数も減少させることが可能となり、これにより、金型格納装置２、３の小型化を図ることが可能となるという効果がある。
【００７１】
また、既述したように、金型上下反転装置１８（図1、図13）を構成する反転板７３の両端に、シリンダ７２、７４のピストンロッドを介して金型ホルダ７０、７５を設けたことにより、反転時には（図14（Ｃ））、シリンダ７２、７４を収縮させることにより、金型ホルダ７０に装着されたパンチP、金型ホルダ７５に装着されたダイDの上下が反転できるので、金型上下反転装置１８全体を、反転時にわざわざ上部・下部テーブル１２、１３から退避させることなく、それらテーブルとの干渉を回避できるので、退避機構が不要となって、構成がより簡単になり、また、余分なスペースも不要になるという効果もある
【００７２】
上記のような構成を有するプレスブレーキのＮＣ装置２０は（図１）、ＣＰＵ２０Ａと、入力部２０Ｂと、記憶部２０Ｃと、金型レイアウト決定部２０Ｄと、金型選択部２０Ｅと、金型格納装置駆動部２０Ｆと、金型交換装置駆動部２０Ｇと、金型表裏反転装置駆動部２０Ｈと、金型上下反転装置駆動部２０Ｊにより構成されている。
【００７３】
ＣＰＵ２０Ａは、本発明を実施するための動作手順（例えば図１9に相当）に従って金型レイアウト決定部２０Ｄ、金型選択部２０Ｅなど図１に示す装置全体を統括制御する。
【００７４】
入力部２０Ｂは、プレスブレーキに取り付けられている操作盤を構成し、よく知られているように、キーボードなどを有し、この操作盤２０Ｂを用いて例えば自動又は手動により、製品情報などを入力することができ、入力結果は画面で確認できる。
【００７５】
また、既述したように（図6）、金型搭載情報は、作業者が前記入力部２０Ｂ（図1）を介して入力し、後述する記憶部２０Ｃにデータベースとして記憶される。
【００７６】
上記製品情報は、例えばＣＡＤ（Computer Aided Design）情報であり、ワークＷ（図15）の板厚、材質、曲げ線の長さ、曲げ角度、フランジ寸法などの情報を含み、これらが立体姿図、展開図として構成されている。
【００７７】
記憶部２０Ｃは（図１）、本発明を実施するためのプログラムを記憶する他、後述する金型レイアウト決定部２０Ｄが決定した曲げ順、曲げ順ごとの金型、金型レイアウトなど（図16）、また、既述したように、前記金型搭載情報（図6）をデータベースとして記憶する。
【００７８】
金型レイアウト決定部２０Ｄは（図１）、前記入力部２０Ｂを介して入力された製品情報に基づいて、曲げ順（１）、（２）、（３）、（４）を決定すると共に、各曲げ順ごとにワークＷを加工する金型及び金型レイアウトａ、ｂ、ｃ、ｄを決定する（図１9のステップ１０１〜ステップ１０２）。
【００７９】
例えば、図15に示すように、平坦なワークＷの曲げ線ｍ１、ｍ２、ｍ３、ｍ４部分を（１）、（２）、（３）、（４）の順に曲げ加工し、最終的には、図示するように、フランジＦ１、Ｆ２、Ｆ３、Ｆ４が立った製品を加工するものとすると、金型レイアウト決定部２０Ｄが（図１）曲げ順などを決定した結果が、図16に示されている。
【００８０】
図16においては、曲げ順ごとに、各加工ステーションＳＴ１、ＳＴ２内の各位置X1、Ｘ2・・・・に配置された金型（○印）から成る金型レイアウトa、b、c、dが示されているが、本発明による金型レイアウトの例としては、図17、図18に示すものがある。
【００８１】
図17の金型レイアウトは（図17（A））、図示するように、ダイDが上部テーブル１２側の金型ホルダ３０に、パンチPが下部テーブル１３側の金型ホルダ３１にそれぞれ装着され、ダイDもパンチPも表付けの場合であり、このダイDとパンチPは、既述した金型表裏反転装置（図1、図11）は素通りし、金型上下反転装置１８（図1、図13）で上下反転され、図17（A）に示す位置に位置決めされた例である。
【００８２】
この上下反転されたダイDとパンチPによる曲げ加工の例としては、図17（B）のような形状のワークW内部の曲げ片W１を、曲げ線ｍ1に沿って曲げ加工を行う場合がある。
【００８３】
この場合、作業者は、よく知られているように、曲げ線ｍ1に近い方の辺Hを突当１０（図17（C））、１１に突き当ててワークWを位置決めした後、フットペダル７（図1）を踏み込めば油圧シリンダ１４、１５が作動して上部テーブル１２が下降し、該上部テーブル１２側の金型ホルダ３０に装着されて下降するダイDと（図17（C））、その直下のパンチPにより、曲げ片W１の曲げ線ｍ１に沿った曲げ加工が行われる。
【００８４】
この結果、図17（A）に示す金型レイアウトにおける上下が反転された表付けのダイDとパンチPにより、図17（D）のような曲げ片W１が例えば90°だけ下方に曲げられた製品が加工される（図17（D）は上から見た図）。
【００８５】
一方、図18の金型レイアウトは（図18（A））、図示するように、ダイDが上部テーブル１２側の金型ホルダ３０に、パンチPが下部テーブル１３側の金型ホルダ３１にそれぞれ装着され、パンチPだけが裏付けの場合であり、この場合、パンチPだけが、金型表裏反転装置（図1、図11）で表裏反転され、ダイDとパンチPが共に、金型上下反転装置１８（図1、図13）で上下反転され、図18（A）に示す位置に位置決めされた例である。
【００８６】
この上下反転された表付けダイDと裏付けパンチPによる曲げ加工の例としては、図18（B）のように、既に前記曲げ線ｍ1（図17（D））に沿って曲げ加工された同じ曲げ片W１を、曲げ線ｍ２に沿って更に曲げ加工する場合がある。
【００８７】
この場合、同様に、作業者は、よく知られているように、曲げ線ｍ２に近い方の辺Hを突当１０（図18（C））、１１に突き当ててワークWを位置決めした後、フットペダル７（図1）を踏み込めば油圧シリンダ１４、１５が作動して上部テーブル１２が下降し、該上部テーブル１２側の金型ホルダ３０に装着されて下降するダイDと（図18（C））、その直下のパンチPにより、曲げ片W１の曲げ線ｍ2に沿った曲げ加工が行われる。
【００８８】
加工中は、同じ曲げ片W１が（図18（C））下方に曲げられ、これにより、既に下方に曲げられた部分Gが、パンチP側に進入するが、既述したように、パンチPが裏付けであるために、下方曲げ部分Gは、該パンチP裏面の逃げ部Nに逃げ込むことにより、パンチPとの干渉が回避され、曲げ加工が円滑に行われる。
【００８９】
この結果、図18（A）に示す金型レイアウトにおける上下が反転された表付けダイDと裏付けパンチPにより、図18（D）のような曲げ片W１が、曲げ線ｍ２に沿って更に例えば90°だけ下方に曲げられた製品が加工される（図18（D）は下から見た図）。
【００９０】
そして、このような加工結果をもたらす前記金型レイアウト（例えば図17（A）や図18（A））を、予め製品情報（例えば図15）に基づいて決定するのが（図19のステップ１０２）、既述した金型レイアウト決定部２０Ｄ（図1）である。
【００９１】
また、前記金型レイアウト決定部２０Ｄが決定した金型レイアウトに関する情報（例えば既述したように、金型を加工ステーションST1、ST2（図16）のどの位置X1、X2・・・に配置するか、金型の上下が反転しているか、表裏が反転しているか（例えば図17（A）⇒図17（C）、図18（A）⇒図18（C））といった情報）、及び前記入力部２０Ｂ（図1）から入力されてデータベースとして記憶部２０Ｃに記憶されている金型搭載情報（図  6）に基づいて、所定の金型レイアウト（図16）を構成する金型を、例えば図2に示すストッカｈ1（ｈ2、ｈ3、ｔ）に搭載された金型の中から選択する機能を有するのが、図1に示す金型選択部２０Ｅである。
【００９２】
更に、図1に示す金型格納装置駆動部２０F、金型交換装置駆動部２０Ｇ、金型表裏反転装置駆動部２０Ｈ、金型上下反転装置駆動部２０Ｊは、既述した金型格納装置２、３、金型交換装置２Ａ、３Ａ、金型表裏反転装置８、９、金型上下反転装置１８をそれぞれ駆動制御する。
【００９３】
以下、上記構成を有する本発明の動作を、図１９〜図２３に基づいて説明する。
（１）該当するストッカを取り出すまでの動作。
【００９４】
図１９のステップ１０１において、製品情報を入力し、ステップ１０２において、曲げ順、金型、金型レイアウトを決定し、ステップ１０３において、金型搭載情報を入力し、ステップ１０４において、所定の金型レイアウトを構成する分割金型を、ストッカに搭載された分割金型の中から選択し、ステップ１０５において、該当するストッカを取り出す。
【００９５】
即ち、ＣＰＵ２０Ａは（図１）、入力部２０Ｂを介して製品情報が入力されたことを検知すると、金型レイアウト決定部２０Ｄを介して曲げ順、金型、金型レイアウトを決定し、更に、入力部２０Ｂを介して金型搭載情報（図6）が入力されたことを検知すると、該金型搭載情報及び前記金型レイアウトなどを記憶部２０Ｃ（図1）にデータベースとして記憶させる。
【００９６】
その後、ＣＰＵ２０Ａは、金型選択部２０Ｅを制御し、前記記憶部２０Ｃに記憶されているデータベース（図16）を検索することにより、例えば曲げ順（1）の所定の金型レイアウトaを構成する金型（○印）を、同様に記憶部２０Ｃ（図1）にデータベースとして記憶されている金型搭載情報（図6）に基づいて、金型格納装置２、３（図1）のストッカに搭載された金型の中から選択する。
【００９７】
そして、ＣＰＵ２０Ａは（図1）、金型格納装置２、３を制御し、上記選択された金型が搭載されている該当ストッカを取り出すべく、移動フレーム３４（図7）を前後方向に移動させてそれに支持されている該当ストッカをストッカ着脱装置３２（図10（A））の位置に位置決めした後、該ストッカ着脱装置３２を作動させて該当ストッカを移動フレーム３４から離脱させると共に、該当ストッカを、待機しているストッカ上下動・反転装置４、５のリフタアーム３９で支持する（図10（Ａ））。
【００９８】
これにより、該当するストッカを取り出すことができ、以降は、上下反転されたいずれも裏付けの長尺金型Ｄ、Ｐから成る金型レイアウトαを、また、上下反転された表裏混在の短尺金型Ｄ、Ｐから成る金型レイアウトβを、それぞれ上部・下部テーブル１２、１３の所定位置に形成する場合の動作を図20〜図21、図22〜図23に基づいて説明する。
【００９９】
尚、以下の説明に際しては、金型格納装置２、３（図1）のストッカに搭載されている金型群は、当初は、全て表側を向いているもの（例えば図4の状態）とし、金型レイアウトα、βにおいて、裏付けの金型P、Dや、ストッカｈ1、ｔにおいて、裏側を向いた金型P、Dがある場合には、斜線が施してあり、また、説明の便宜上、パンチP側ダイD側いずれも、長尺金型用ストッカは、参照符号ｈ1で、短尺金型用ストッカは、参照符号ｔでそれぞれ表示してあり、更に、例えば図20、図21の矢印（１）、（２）は、図20においては、動作の流れを、図21においては、そのときの金型の移動経路をそれぞれ表す。
【０１００】
（Ａ）図20の動作。
（Ａ）-１  パンチP側の動作。
ＣＰＵ２０Ａ（図1）が記憶部２０Ｃに記憶された動作手順（加工プログラム）を参照することにより、先ず、金型レイアウトα（図19、図21）を形成するパンチPの裏付けの有無を判断し（図20のステップ201）、裏付けのパンチPがある場合には（ＹＥＳ）、金型格納装置駆動部２０Ｆ（図1）を制御し、前記取り出した該当ストッカ（図19のステップ105）を下降中に反転させて下降を続行させ、これにより、金型群（パンチ群）の表裏を、前記該当する長尺金型用ストッカｈ1ごと反転させ（図20のステップ202）、その後、該反転したストッカｈ1を（図21）、上部テーブル１２側の金型ホルダ３０と同じ高さ位置に位置決めして装着する（図20のステップ203）。このとき、装着されたストッカｈ１（図21）に搭載されている金型群は、全て裏側を向いている。その後、次のステップ204進む。
【０１０１】
（Ａ）-２  ダイD側の動作。
次に、ＣＰＵ２０Ａは（図1）、金型格納装置駆動部２０Ｆ（図1）を制御し、前記取り出した該当ストッカ（図19のステップ105）を反転させずにそのまま上昇させ、下部テーブル１３側の金型ホルダ３１と同じ高さ位置に位置決めして装着する（図20のステップ209）。このとき、装着されたダイD側の長尺金型用ストッカｈ１（図21）に搭載されている金型群は、全て表側を向いている。
【０１０２】
この状態で、ＣＰＵ２０Ａは（図1）、金型レイアウトα（図19、図21）を形成するダイDの裏付けの有無を判断し（図20のステップ210）、裏付けのダイDがある場合には（ＹＥＳ）、金型交換装置駆動部２０Ｇ（図1）を制御し、前記ストッカｈ1（図21）に搭載された金型の中から選択された金型のみ、即ちダイDのみを、金型交換装置３Ａ（図1）を用いて、ダイ表裏反転装置９へ（図21）移動させてから金型表裏反転装置駆動部２０Ｈ（図1）を制御し、そのダイDの表裏を反転し（図20のステップ  211〜ステップ212）、次のステップ204に進む。
【０１０３】
（Ａ）-３  パンチP、ダイDの上下反転動作。
更に、ＣＰＵ２０Ａは（図1）、パンチP、ダイDの上下反転可否判断を行い（図20のステップ204）、上下反転する場合には（ＹＥＳ）、金型交換装置駆動部２０Ｇを（図1）制御し、先ずパンチPについては、金型交換装置２Ａを用いて、前記装着されたストッカｈ1（図21）に格納された裏側を向いた金型群の中から選択されたパンチPのみを、パンチ表裏反転装置８を素通りして、金型上下反転装置１８へ移動させ、次にダイDについては、金型交換装置３Ａ（図1）を用いて、図20のステップ212で表裏反転の実施が完了したダイDを、ダイ表裏反転装置９から金型上下反転装置１８へ移動させる（図20のステップ205）。
【０１０４】
この状態で、ＣＰＵ２０Ａは（図1）、金型上下反転装置駆動部２０Ｊ（図1）を制御し、反転板７３（図21）を旋回させることにより、前記パンチP、ダイDの上下を反転させた後（図20のステップ206）、再度金型交換装置駆動部２０Ｇ（図1）を制御し、金型交換装置２Ａ、３Ａを用いて、前記上下が反転した金型Ｄ、Ｐを、上部・下部テーブル１２、１３の所定位置へ位置決めする（図20のステップ207）。
【０１０５】
これにより、既述したように、上下反転されたいずれも裏付けの長尺金型Ｄ、Ｐから成る金型レイアウトαが（図21）、形成された。
【０１０６】
図20のパンチ側の動作において、ステップ201で裏付けのパンチPがない場合は（ＮＯ）、該当するストッカｈ1をそのまま反転させないで下降して装着し（図20のステップ208）、また、ダイ側の動作において、ステップ210で裏付けのダイDがない場合は（ＮＯ）、該当するストッカｈ1を装着した状態で（図20のステップ209）、それぞれステップ204に進み、パンチ、ダイの上下反転をする場合には（ステップ204のＹＥＳ⇒ステップ205〜207）、図21の金型レイアウトαにおいて斜線が施されていない、即ち上下反転されてはいるが、ダイD、パンチPいずれも表付けの金型レイアウトが形成され、反対に、パンチ、ダイの上下反転をしない場合には（ステップ204のＮＯ⇒ステップ207）、本発明を構成する金型表裏反転装置８、９（図1）と金型上下反転装置１８を用いずに、即ち表裏も上下も反転せず、金型格納装置２、３から上部・下部テーブル１２、１３の所定位置へ所定の金型を位置決めするだけである。
【０１０７】
（Ｂ）図22の動作。
（Ｂ）-１  パンチP側の動作。
同様に、ＣＰＵ２０Ａ（図1）が記憶部２０Ｃに記憶された動作手順（加工プログラム）を参照することにより、先ず、金型レイアウトβ（図19、図23）を形成するパンチPの裏付けの有無を判断し（図22のステップ301）、裏付けのパンチPがある場合には（ＹＥＳ）、表裏混在を判断し（図22のステップ302）、混在している場合には（ＹＥＳ）、更に、金型レイアウトβ（図23）の一番右側のパンチPが表か否かを判断し（図22のステップ303）、表の場合には（ＹＥＳ）、金型格納装置駆動部２０Ｆ（図1）を制御し、前記取り出した該当ストッカ（図19のステップ105）を反転させずにそのまま下降させ、上部テーブル１２側の金型ホルダ３０と同じ高さ位置に位置決めして装着する（図22のステップ304）。このとき、装着されたパンチP側の短尺金型用ストッカｔ（図23）に搭載されている金型群は、全て表側を向いている。
【０１０８】
この状態で、ＣＰＵ２０Ａは（図1）、表裏反転の有無を判断し（図22のステップ305）、例えばこれから形成する金型レイアウトβ（図19、図23）の右側のパンチPを位置決めしようとするときには、表裏の反転は必要無しと判断して（ＮＯ）、ステップ308に進み、左側のパンチPを位置決めしようとするときには、表裏の反転が必要有りと判断して（ＹＥＳ）、金型交換装置駆動部２０Ｇ（図1）を制御し、前記ストッカｔ（図23）に搭載された金型の中から選択された金型のみ、即ちパンチPのみを、金型交換装置３Ａ（図1）を用いて、パンチ表裏反転装置８へ（図23）に移動させてから金型表裏反転装置駆動部２０Ｈ（図1）を制御し、そのパンチPの表裏を反転し（図22のステップ  306〜ステップ307）、次のステップ308に進む。
【０１０９】
また、前記図22のステップ303において、金型レイアウトβ（図23）の一番右側のパンチPが表か否かを判断した場合に、裏の場合（ＮＯ）、例えば金型レイアウトβのパンチPの位置が逆で裏付けパンチPが右側、表付けパンチPが左側のときには、ＣＰＵ２０Ａは（図1）、金型格納装置駆動部２０Ｆを制御し、前記取り出した該当ストッカ（図19のステップ105）を下降中に反転させて下降を続行させ、これにより、金型群（パンチ群）の表裏を、前記該当する短尺金型用ストッカｔごと反転させた後、該反転したストッカｔを（図23）、上部テーブル１２側の金型ホルダ３０と同じ高さ位置に位置決めして装着し（図22のステップ312、このとき、装着されたストッカｔ（図23）に搭載されている金型群は、全て裏側を向いている）、前記と同様に、ステップ305に進み、同じ動作を行う。
【０１１０】
（Ｂ）-２  ダイD側の動作。
この場合、ダイD側の動作である図22のステップ315〜ステップ318は、前記図20のダイD側の動作である図20のステップ209〜ステップ212と全く同じであり、短尺か（図22）長尺か（図20）の違いがあるだけなので、動作説明は省略する。
【０１１１】
（Ｂ）-３  パンチP、ダイDの上下反転動作。
次に、ＣＰＵ２０Ａは（図1）、パンチP、ダイDの上下反転可否判断を行い（図22のステップ308）、上下反転する場合には（ＹＥＳ）、次の動作が行われる。
【０１１２】
（Ｂ）-３-ａ  これから形成する金型レイアウトβ（図23）の右側のパンチP（表付けとダイD（裏付け）の上下を同時反転する場合の動作。
【０１１３】
この場合、ＣＰＵ２０Ａは（図1）、先ずパンチPについては、既述したように、表裏反転の必要無し（図22のステップ305のＮＯ）と判断したので、金型交換装置駆動部２０Ｇ（図1）を制御し、上部テーブル１２（図23）の左端に装着されているストッカｔ（図22のステップ304）に搭載された金型の中から選択されたパンチPのみを、金型交換装置２Ａ（図1）を用いて、パンチ表裏反転装置８（図23の（3）´）を素通りして、金型上下反転装置１８へ移動させ、次にダイDについては、金型交換装置３Ａ（図1）を用いて、図22のステップ318で表裏反転の実施が完了したダイDを、ダイ表裏反転装置９（図23）から金型上下反転装置１８へ移動させる（図22のステップ309）。
【０１１４】
この状態で、ＣＰＵ２０Ａは（図1）、同様に、金型上下反転装置駆動部２０Ｊ（図1）を制御し、反転板７３（図23）を旋回させることにより、前記パンチP、ダイDの上下を反転させた後（図22のステップ310）、再度金型交換装置駆動部２０Ｇ（図1）を制御し、金型交換装置２Ａ、３Ａを用いて、前記上下が反転した金型Ｄ、Ｐを、上部・下部テーブル１２、１３の所定位置へ位置決めする（図22のステップ310）。
【０１１５】
これにより、金型レイアウトβ（図23）を構成する上下反転された右側のダイD（裏付け）とパンチP（表付け）が所定位置に位置決めされた。
【０１１６】
（Ｂ）-３-b  これから形成する金型レイアウトβ（図23）の左側のパンチPとダイD（共に裏付け）の上下を同時反転する場合の動作。
【０１１７】
この場合、ＣＰＵ２０Ａは（図1）、先ずパンチPについては、既述したように、表裏反転の必要有り（図22のステップ305のＹＥＳ）と判断したので、この時点では、選択されたパンチPの表裏反転の実施は既に完了しているので（図22のステップ307）、金型交換装置駆動部２０Ｇ（図1）を制御し、金型交換装置２Ａを用いて、その表裏が反転したパンチPを、パンチ表裏反転装置８（図23）から金型上下反転装置１８へ移動させ、次にダイDについては、同様に、金型交換装置３Ａ（図1）を用いて、図22のステップ318で表裏反転の実施が完了したダイDを、ダイ表裏反転装置９（図23）から金型上下反転装置１８へ移動させる（図22のステップ309）。
【０１１８】
この状態で、ＣＰＵ２０Ａは（図1）、同様に、金型上下反転装置駆動部２０Ｊ（図1）を制御し、反転板７３（図23）を旋回させることにより、前記パンチP、ダイDの上下を反転させた後（図22のステップ310）、再度金型交換装置駆動部２０Ｇ（図1）を制御し、金型交換装置２Ａ、３Ａを用いて、前記上下が反転した金型Ｄ、Ｐを、上部・下部テーブル１２、１３の所定位置へ位置決めする（図22のステップ310）。
【０１１９】
これにより、金型レイアウトβ（図23）を構成する上下反転された左側のダイDとパンチP（共に裏付け）が所定位置に位置決めされた。
【０１２０】
よって、前記（Ｂ）-３-aと（Ｂ）-３-b
の動作を合わせることにより、既述したように、上下反転された表裏混在の短尺金型Ｄ、Ｐから成る金型レイアウトβが（図23）、形成された。
【０１２１】
図22のパンチ側の動作において、ステップ301で裏付けのパンチPがない場合は（ＮＯ）、該当するストッカtをそのまま反転させないで下降して装着し（図22のステップ314）、また、ダイ側の動作において、ステップ316で裏付けのダイDがない場合は（ＮＯ）、該当するストッカｔを装着した状態で（図22のステップ315）、それぞれステップ308に進み、パンチ、ダイの上下反転をする場合には（ステップ308のＹＥＳ⇒ステップ309〜310）、図23の金型レイアウトβにおいて斜線が施されていない、即ち上下反転されてはいるが、ダイD、パンチPいずれも表付けの金型レイアウトが形成され、反対に、パンチ、ダイの上下反転をしない場合には（ステップ308のＮＯ⇒ステップ311）、本発明を構成する金型表裏反転装置８、９（図1）と金型上下反転装置１８を用いずに、即ち表裏も上下も反転せず、金型格納装置２、３から上部・下部テーブル１２、１３の所定位置へ所定の金型を位置決めするだけである。
【０１２２】
更に、図22のパンチ側の動作において、ステップ302で表裏混在が無い場合は（ＮＯ）、該当するストッカtを反転後装着させ（図22のステップ313）、また、このときのダイ側の動作において、ステップ316で裏付けのダイDがない場合は（ＮＯ）、該当するストッカｔを装着した状態で（図22のステップ315）、それぞれステップ308に進み、パンチ、ダイの上下反転をする場合には（ステップ308のＹＥＳ⇒ステップ309〜310）、図23の金型レイアウトβにおいて全てに斜線が施されている、即ち上下反転されたダイD、パンチPいずれも裏付けの金型レイアウトが形成され、反対に、パンチ、ダイの上下反転をしない場合には（ステップ308のＮＯ⇒ステップ311）、同様に、本発明を構成する金型表裏反転装置８、９（図1）と金型上下反転装置１８を用いずに、即ち表裏も上下も反転せず、金型格納装置２、３から上部・下部テーブル１２、１３の所定位置へ所定の金型を位置決めするだけである。
【０１２３】
上記のように、所定の金型レイアウトが上部・下部テーブル１２、１３上に形成された後は、例えば作業者がワークＷ（図1）を突当１０、１１に突き当てて位置決めした後、フットペダル７を踏み込むことにより、油圧シリンダ１４、１５を作動しラムである上部テーブル１２を下降させれば、前記金型レイアウトを構成するパンチＰとダイＤにより、該ワークＷに対して所望の曲げ加工が行われる（例えば図18（C）、（D））。
【産業上の利用可能性】
【０１２４】
本発明は、個別の金型の表裏反転と上下反転機能を付加することにより、金型格納装置のストッカに搭載すべき金型の個数を減少させ、ストッカの数の減少と金型格納装置の小型化を図る曲げ加工装置に利用され、下降式プレスブレーキ（図１）のみならず、ラムである下部テーブル１３が上昇することによりパンチＰとダイＤでワークＷを曲げ加工する上昇式プレスブレーキにも適用され、極めて有用である。
【図面の簡単な説明】
【０１２５】
【図１】本発明の全体図である。
【図２】本発明を構成する金型（パンチ）格納装置２における各ストッカの配置状態を示す図である。
【図３】本発明を構成する金型（ダイ）格納装置３における各ストッカの配置状態を示す図である。
【図４】本発明による長尺金型用ストッカｈ１、ｈ２、ｈ３を示す図である。
【図５】本発明による短尺金型用ストッカｔを示す図である。
【図６】本発明を構成する金型搭載情報を示す図である。
【図７】本発明による金型（パンチ）格納装置２の側面図ある。
【図８】図7の移動フレーム３４の詳細図である。
【図９】図7のストッカ上下動・反転装置４の詳細図である。
【図１０】図7の動作説明図である。
【図１１】本発明を構成する金型（パンチ）表裏反転装置８の斜視図である。
【図１２】図１１の動作説明図である。
【図１３】本発明を構成する金型上下反転装置１８の斜視図である。
【図１４】図１３の動作説明図である。
【図１５】本発明を構成する金型レイアウト決定部２０Ｄ（図1）が製品情報に基づいて曲げ順などを決定する場合の説明図である。
【図１６】図15の結果を示す図である。
【図１７】本発明による金型レイアウトの例を示す図である。
【図１８】本発明による金型レイアウトの他の例を示す図である。
【図１９】本発明の動作全体を説明するためのフローチャートである。
【図２０】本発明を構成する金型表裏反転装置８、９（図1）と金型上下反転装置１８を用いた動作例を説明するためのフローチャートである。
【図２１】図２０の金型移動経路を示す図である。
【図２２】本発明を構成する金型表裏反転装置８、９（図1）と金型上下反転装置１８を用いた他の動作例を説明するためのフローチャートである。
【図２３】図２２の金型移動経路を示す図である。
【図２４】従来技術の説明図である。
【符号の説明】
【０１２６】
１  曲げ加工装置
２、３  金型格納装置
２Ａ、３Ａ  金型交換装置
４、５     ストッカ上下動・反転装置
７  フットペダル
８、９  金型表裏反転装置
１０、１１  突当
１２    上部テーブル
１３  下部テーブル
１４、１５  油圧シリンダ
１６、１７  側板
２０  ＮＣ装置２０
２０Ａ  ＣＰＵ２０Ａ
２０Ｂ  入力部
２０Ｃ  記憶部
２０Ｄ  金型レイアウト決定部
２０Ｅ  金型選択部
２０Ｆ  金型格納装置駆動部
２０Ｇ  金型交換装置駆動部２０Ｇ
２０Ｈ  金型表裏反転装置駆動部２０Ｈ
２０Ｊ  金型上下反転装置駆動部２０Ｊ
２１、２２  ブラケット
２３  取付部
２４、３７  ガイド
３０、３１  金型ホルダ
３２  ストッカ着脱装置
３３、３８  ボールねじ
３４  移動フレーム
３５  基台フレーム
３６  スライダ
３７  ガイド
３９  リフタアーム
４０  ロータリアクチュエータ
４１  連結部材
６０  旋回アクチュエータ
６１  旋回アクチュエータ６０の先端部
６２  旋回金型ホルダ
６３、６４  固定金型ホルダ
６５、６６  シリンダ
６７  固定板
６８  筐体
７０、７５  金型上下反転装置１８の金型ホルダ
７１、８４  水平板
７２、７４  シリンダ
７３  反転板
７６  旋回軸
７７  ピニオン
７８  ピストンロッド
７９  シリンダ
８０  取付支柱
８１  固定部
８２  保護ケース
８３  ラック
Ｄ  ダイ
Ｐ  パンチ
Ｗ  ワーク
ｔ  短尺金型用ストッカ
ｈ１、ｈ２、ｈ３  長尺金型用ストッカ
【図１】
2008087018.tif 000003
【図２】
2008087018.tif 000004
【図３】
2008087018.tif 000005
【図４】
2008087018.tif 000006
【図５】
2008087018.tif 000007
【図６】
2008087018.tif 000008
【図７】
2008087018.tif 000009
【図８】
2008087018.tif 000010
【図９】
2008087018.tif 000011
【図１０】
2008087018.tif 000012
【図１１】
2008087018.tif 000013
【図１２】
2008087018.tif 000014
【図１３】
2008087018.tif 000015
【図１４】
2008087018.tif 000016
【図１５】
2008087018.tif 000017
【図１６】
2008087018.tif 000018
【図１７】
2008087018.tif 000019
【図１８】
2008087018.tif 000020
【図１９】
2008087018.tif 000021
【図２０】
2008087018.tif 000022
【図２１】
2008087018.tif 000023
【図２２】
2008087018.tif 000024
【図２３】
2008087018.tif 000025
【図２４】
2008087018.tif 000026